(57)【要約】【課題】商品の残量を簡便かつ確実に把握して商品の在庫管理を的確に行うことができる商品前出しケース用マガジン及び商品前出しケースを提供する。【解決手段】商品Ｔを一方向に複数陳列して収納するケーシング２と、ケーシング２の底板５に前記一方向に形成されたレール部に摺動自在に係合するとともに、陳列された最後尾の商品Ｔの後方側に配置され商品Ｔを押し出す押出部材３と、巻回された状態の習性が付与された板バネ４とを備え、板バネ４の巻回部４ａを、押出部材３の後方側に配置するとともに、巻回部４ａから引き出された板バネ４の端部をケーシング２の前方側に固定し、商品Ｔの後面に押出部材３を付勢させて商品Ｔを一方向に押し出し可能な商品前出しケース用マガジンであって、巻回部４ａの外側を向く面には、ケーシング２内において押出部材３よりも前方に収納されている商品Ｔの個数に対応する表示２０が付されていることを特徴とする。【選択図】図４
0003170784.tif 000002
【実用新案登録請求の範囲】
【請求項１】
商品を前方側から後方側に向けて一方向に複数陳列して収納するケーシングと、該ケーシングの底板に前記一方向に形成されたレール部に摺動自在に係合するとともに、陳列された最後尾の前記商品の前記後方側に配置され該商品を押し出す押出部材と、巻回された状態の習性が付与された板バネとを備え、該板バネの巻回部を、前記押出部材の後方側に配置するとともに、前記巻回部から引き出された前記板バネの端部を前記ケーシングの前方側に固定し、前記商品の後面に前記押出部材を付勢させて前記商品を前記一方向に押し出し可能な商品前出しケース用マガジンであって、
前記巻回部の外側を向く面には、前記ケーシング内において前記押出部材よりも前方に収納されている前記商品の個数に対応する表示が付されていることを特徴とする商品前出しケース用マガジン。
【請求項２】
請求項１に記載の商品前出しケース用マガジンであって、
前記表示は、前記押出部材よりも前方に収納されている前記商品の個数に対応させた色彩であることを特徴とする商品前出しケース用マガジン。
【請求項３】
請求項１又は２に記載の商品前出しケース用マガジンであって、
前記表示は、前記押出部材よりも前方に収納されている前記商品の個数に対応させた数字であることを特徴とする商品前出しケース用マガジン。
【請求項４】
請求項２又は３に記載の商品前出しケース用マガジンであって、
前記表示は、前記板バネに表示シールを貼着することにより付されることを特徴とする商品前出しケース用マガジン。
【請求項５】
請求項１から４のいずれか一項に記載の商品前出しケース用マガジンを備えたことを特徴とする商品前出しケース。  
【考案の詳細な説明】
【技術分野】
【０００１】
本考案は、ケース内に一方向に陳列された商品を前方側から取り出した際に順次商品を前出しする商品前出しケース用マガジン及び商品前出しケースに関する。
【背景技術】
【０００２】
一般に、コンビニエンスストアやスーパーマーケット等において、煙草等の箱状の商品を一方向に複数列収容した商品陳列棚を上下方向に段積みしてレジカウンタ等に設置し、顧客が商品をケースの前方から容易に取り出すことができるようにした商品前出しケースが広く用いられている。通常、この商品前出しケースは、商品陳列棚の前方側から商品が取り出された際、後続の商品が最前列に前進するよう押し出されるようになっており、このような商品前出しケースとしては、例えば下記特許文献１に開示されたものが知られている。
【０００３】
特許文献１に記載された商品前出しケースは、煙草陳列収納用の細長矩形のトレイを複数隣接させて配置した商品陳列棚を上下方向に段積みして形成されている。この商品陳列棚の両サイド、すなわちトレイの長手方向と同方向に延びる縁部には側壁部材が取り付けられている。また、各トレイには、最前列に位置する商品がトレイから取り出された際に残りの商品全体を前進させる付勢手段が設けられている。
上記のような商品前出しケースは、トレイ毎に異なる銘柄の煙草が陳列されており、残量が少なくなった煙草を販売員が適宜補充するようになっている。
【先行技術文献】
【特許文献】
【０００４】
【特許文献１】実用新案登録第３１３９９５７号公報
【考案の概要】
【考案が解決しようとする課題】
【０００５】
ところで、上記従来の商品前出しケースは、コンビニエンスストア等のレジカウンタ等において、商品が押し出される前方側を顧客が立つ方に対向させ、レジカウンタ内の販売員に対しては側方又は後方側を向くように設置されている。したがって、販売員が商品前出しケース内の商品の残数を側方から見ようとしても、側壁部材によってトレイ内の商品の残量を把握することが出来ず、また後方から見ようとしても、商品数又は付勢手段の位置が分かり難くやはり商品の残量を把握し難いため、商品の補充のタイミングが分かり難く各トレイにおいて欠品状態が発生し易いという問題があった。
また、商品の残量を確認するためには、各段の商品陳列棚を取り出すか商品前出しケースの前方側に回って各トレイ内を見る必要があり、確認作業を行い難いため、各販売員の確認頻度の差異によって商品の補充のタイミングにバラつきが生じ易くなるという問題があった。
【０００６】
本考案は、上記問題に鑑みて、商品前出しケース用マガジン内に陳列された各商品の残量を簡便かつ確実に把握することができ、商品の在庫管理を的確に行うことができる商品前出しケース用マガジン及び商品前出しケースを提供する。
【課題を解決するための手段】
【０００７】
請求項１に記載の考案は、商品を前方側から後方側に向けて一方向に複数陳列して収納するケーシングと、該ケーシングの底板に前記一方向に形成されたレール部に摺動自在に係合するとともに、陳列された最後尾の前記商品の前記後方側に配置され該商品を押し出す押出部材と、巻回された状態の習性が付与された板バネとを備え、該板バネの巻回部を、前記押出部材の後方側に配置するとともに、前記巻回部から引き出された前記板バネの端部を前記ケーシングの前方側に固定し、前記商品の後面に前記押出部材を付勢させて前記商品を前記一方向に押し出し可能な商品前出しケース用マガジンであって、前記巻回部の外側を向く面には、前記ケーシング内において前記押出部材よりも前方に収納されている前記商品の個数に対応する表示が付されていることを特徴とする。
本考案では、巻回部の外側を向く面に、ケーシング内において押出部材よりも前方に収納されている商品の個数に対応する表示が付与されているため、ケーシング内に陳列された商品の残量を容易にかつ的確に把握することができる。
請求項２に記載の考案は、請求項１に記載の商品前出しケース用マガジンであって、前記表示が、前記押出部材よりも前方に収納されている前記商品の個数に対応させた色彩であることを特徴とする。
本考案では、表示が前記押出部材よりも前方に収納されている前記商品の個数に対応させた色彩であるため、一見してケーシング内の商品の個数を判別することができる。
請求項３に記載の考案は、請求項１又は２に記載の商品前出しケース用マガジンであって、前記表示が、前記押出部材よりも前方に収納されている前記商品の個数に対応させた数字であることを特徴とする。
本考案は、表示が前記押出部材よりも前方に収納されている前記商品の個数に対応させた数字であるため、商品前出しケース用マガジン内の商品の個数を簡便かつ正確に把握することができるという効果を奏する。
請求項４に記載の考案は、請求項２又は３に記載の商品前出しケース用マガジンであって、前記表示は、前記板バネに表示シールを貼着することにより付されることを特徴とする。
本考案では、表示が板バネに表示シールを貼着することにより付されるものであるため、押出部材よりも前方に収納されている商品の個数に対応する表示を既存の商品前出しケース用マガジンにも事後的に付することができる。
請求項５に記載の考案は、商品前出しケースであって、請求項１から４のいずれか一項に記載の商品前出しケース用マガジンを備えたことを特徴とする。
本考案は、請求項１から４と同様の効果を奏し得る商品前出しケースを得ることができる。
【考案の効果】
【０００８】
本考案に係る商品前出しケース用マガジンによれば、巻回部の外側を向く面に、ケーシング内において押出部材よりも前方に収納されている商品の個数に対応する表示が付与されているため、ケーシング内に陳列された商品の残量を的確に把握することができ、商品が無くなる前に補充し易くなるため欠品状態の発生を防止し易くなるという効果を奏する。
また、ケーシング内の残量の確認作業が容易となるため、販売員の確認頻度の差異による商品補充のタイミングのバラつきを防止し易く、誰でも商品の在庫管理を行い易くなるという効果を奏する。
【図面の簡単な説明】
【０００９】
【図１】は、本考案の一実施形態として示した商品前出しケース用マガジンに商品を収納した状態を示した斜視図である。
【図２】は、本考案の一実施形態として示した商品前出しケース用マガジンを図１のＹ−Ｙ線において矢視した断面図である。
【図３】は、本考案の一実施形態として示した商品前出しケース用マガジンの一部の底面図である。
【図４】は、本考案の一実施形態として示した商品前出しケース用マガジンを図１のＸ−Ｘ線において矢視した断面図である。
【図５】は、本考案の一実施形態として示した商品前出しケース用マガジンの板バネを示す斜視図である。
【考案を実施するための形態】
【００１０】
以下、図を参照して本考案の実施形態について説明する。
図１，図２は、本考案の一実施形態として示した商品前出しケース用マガジン（以下「マガジン」という）１に商品Ｔを収納した状態を示した図であって、商品を陳列収納するケーシング２と、ケーシング２内に収納された商品Ｔを前出しする付勢手段となる押出部材３及び板バネ４とを備えている。マガジン１は、商品Ｔを一方向に陳列した際に該陳列状態を維持して該一方向に商品Ｔを前出し可能な商品であればどのような物にも用いることが可能であるが、本実施形態においては、煙草を収容したケース（以下単に「タバコ」という）用のマガジンを例として説明する。
【００１１】
図１，図２に示すように、ケーシング２は、矩形形状の底板５と底板５の四方を取り囲むように立ち上がった側板６ａ〜６ｄの内側に仕切板７，７を有したものであり、仕切板７，７によって形成された収納部８Ａ，８Ｂ，８Ｃにそれぞれ異なる銘柄のタバコＴを前方側Ｆから後方側Ｒに向けて一方向に陳列できるようになっている。ケーシング２の前方側Ｆの側板６ａには各収納部８Ａ，８Ｂ，８Ｃに収納されるタバコＴの銘柄を表示したラベルを収納可能なラベル収納部９Ａ〜９Ｃが設けられている。
【００１２】
図３，図４に示すように、ケーシング２の底板５には、各収納部８Ａ，８Ｂ，８Ｃに長手方向に形成された開口領域Ｐ１が形成されているとともに、開口領域Ｐ１の幅方向中央部を塞ぐように底板５の下面５ｓに帯状壁部５ｍが配され、その結果、帯状壁部５ｍを挟んで平行に延在する長孔１０ａ，１０ａが形成されている。
また、底板５の上面５ｔには、長孔１０ａ，１０ａを間に挟むように形成された断面視三角形の突条１０ｂ，１０ｂが設けられ、これら長孔１０ａ，１０ａと突条１０ｂ，１０ｂとによりレール部を構成している。
【００１３】
図２，図３に示すように、底板５の前方側Ｆには、板バネ４の端部４ｂを挿通させる矩形の開口部１１が形成されており、開口部１１の上方には前方側Ｆの側板６ａから後方側Ｒに向かって突出する壁部５ｂが形成されている。
この壁部５ｂの下面には、板バネ４の端部４ｂを係止させて固定する凸部１２が形成されている。
突条１０ｂは後方側Ｒから前方側Ｆに向かって略一定の高さ寸法に形成されており、最前列のタバコＴが位置する前方位置において側面視三角形に突出した突出部１０ｄと連続して形成されている。
【００１４】
図１に示すように、ケーシング２の長手方向に延在する側板６ｂ，６ｄの外面の前方側Ｆ及び後方側Ｒにはそれぞれ円柱状の突部１３，１３が形成されている。
上記の構成からなるケーシング２は、アクリル，アクリロニトリル−ブタジエン−スチレン共重合合成樹脂等の合成樹脂材料により形成されたものである。
【００１５】
図２，図４に示すように、押出部材３は、ケーシング２の各収納部８Ａ〜８Ｃに具備され、長孔１０ａ及び突条１０ｂからなるレール部を摺動自在とされた摺動部３Ａと、各収納部８Ａ〜８Ｃに陳列収納されたタバコＴを後方側Ｒから前方側Ｆに向かって押圧する押出部３Ｂとを備えている。
摺動部３Ａは、図３，図４に示すように、突条１０ｂ上に跨って配置される矩形形状の水平板部１４と水平板部１４の下面から突出し長孔１０ａ内に挿入されて底板５に係合する脚部１５，１５とを備えている。
水平板部１４は、その幅方向中央部に形成された板バネ４挿通用の挿通孔１４ａを有している。
脚部１５は、その先端に底板５の下面５ｓに係合する爪部１５ａを有している。
【００１６】
押出部３Ｂは、図２，図４に示すように、水平板部１４の前方側Ｆの端縁から鉛直方向上方に延びた板部であり、その上方側に板面間方向に貫通する貫通孔１６が形成され、更に貫通孔１６に跨るとともに後方に突出したつまみ部１７と、背面側下方に板バネ４の巻回部４ａを間に挟んで位置させる板バネ配置側壁１８，１８とを有している。
【００１７】
板バネ４は、図５に示すように、巻回された状態の習性が付与されており、常態において渦巻状に巻回された巻回部４ａを有し、端部４ｂを引き出した場合には復帰力が働き、引き出す力を解放したときに元の形状、すなわち引き出された部分が巻回部４ａに巻き取られるようになっている。そして、図２に示す巻回部４ａの外側に位置し一方向に引き出し可能な端部４ｂには、ケーシング２の底板５の壁部５ｂの裏面に形成された凸部１２に係止するための孔１９が形成されている。
【００１８】
また、端部４ｂの外表面（巻回方向に垂直な方向で、かつ径方向の外側面）には、商品の個数に対応する表示シール２０が貼着されている。表示シール２０の表面には、先端側に向かって５から０の数字が示されているとともに、５から２の数字の背景色が薄い色で示し、１から０の数字の背景色が濃い色で示されている。表示シール２０の数字は、板バネ４が巻回部４ａに巻回された状態での押出部材３の背面側（押し出し方向とは逆向き）に表れる（すなわち、ケーシング２の後方から確認できる）位置に付されていることが好ましい。
また、数字間の距離（いわゆる数字を付すピッチ）は、商品Ｔが取り出された後、次の商品Ｔが前出しされたときに上記ケーシング２の後方から確認できる位置に表れるように定められている。
表示シール２０の材質としては、一般的なものを用いることができるが、紫外線による変色等が起こり難いものを用いることが望ましい。
【００１９】
板バネ４は、図４に示すように、巻回部４ａを押出部材３の背面側の板バネ配置側壁１８，１８の間に配置されるとともに、図２，図３に示すように、端部４ｂが下方から引き出されるように配置されている。板バネ４の端部４ｂは、水平板部１４に形成された挿通孔１４ａを通って押出部材３の押出部３Ｂの下端部をくぐり、更にケーシング２の開口部１１を通って壁部５ｂの裏面に形成された凸部１２に係合して固定されている。
この構成において、図４に示すように、表示シール２０は、収納部８Ａ〜８Ｃ内に陳列されたタバコＴの残数が５個以上あるか又は５個以下になったことをケーシング２の後方から数字と色とによって把握できるようになっている。
【００２０】
上記の押出部材３及び板バネ４が設けられたケーシング２は、図示しない枠体に上下方向に複数段配置され、全体として商品前出しケースを構成している。
【００２１】
次に、マガジン１の使用方法について説明する。  
まず、図１に示すように、押出部材３の図２に示すつまみ部１７を持って押出部材３をケーシング２の後方側Ｒに摺動させ、収納部８Ａ〜８Ｃ毎に異なる銘柄のタバコＴを陳列収納させる。収納部８Ａ〜８Ｃの全てに収納可能なタバコＴを収納させたらつまみ部１７を開放し、押出部材３をタバコＴに対して付勢させる。
そして、ケーシング２を段積みし、ケーシング２の前方側Ｆをレジカウンタ等に並ぶ顧客に対向するように設置する。
顧客がケーシング２の収納部８Ａ〜８Ｃのいずれかの前方側ＦからタバコＴを取り出すと、押出部材３の付勢力により後続のタバコＴが順次前進する。
【００２２】
販売員が、各ケーシング２の収納部８Ａ〜８ＣにおけるタバコＴの残数を確認する場合には、図４に示すようにケーシング２の後方側Ｒから収納部８Ａ〜８Ｃ内を覗き、板バネ４の巻回部４ａを確認する。板バネ４に貼着された表示シール２０が表れていない場合には、当該板バネ４が設置された収納部８Ａ〜８ＣにおいてはタバコＴが５個以上保持されているので、該収納部８Ａ〜８ＣにタバコＴを補充しないでもよい。
【００２３】
しかし、ケーシング２の後方側Ｒから収納部８Ａ〜８Ｃ内を覗き板バネ４の巻回部４ａを確認した際に、板バネ４の表示シール２０が現れ２から５の数字を示している場合には、他の収納部８Ａ〜８Ｃの残量に応じて段積みされたマガジン１を取り出して適宜残量の少ない銘柄のタバコＴを補充し、表示シール２０の数字が０から１を表示している場合には、即時に段積みされたマガジン１を取り出して該収納部８Ａ〜８Ｃに当該銘柄のタバコＴを補充する。
【００２４】
以上のように、マガジン１によれば、巻回部４ａの外側を向く面に、ケーシング２内において押出部材３よりも前方に収納されているタバコＴの個数に対応する色と数字による表示シール２０が付されているため、ケーシング２の収納部８Ａ〜８Ｃを後方側Ｒから覗き、板バネ４の巻回部４ａの色と数字を確認することによって、陳列されたタバコＴの残量を的確に把握することができ、タバコＴが無くなる前に補充し易くなるため欠品状態の発生を防止し易くなるという効果を奏する。
また、ケーシング２内の残量の確認作業が容易となるため、販売員の確認頻度の差異によるタバコＴの補充のタイミングのバラつきを防止し易く、誰でもタバコＴの在庫管理を行い易くなるという効果を奏する。
【００２５】
なお、本実施形態において、板バネ４に示すタバコの残数の表示は、０から５までで、数字に伴う背景色は、１と２との間で分けられているが、これに限られるものではなく、５以上の数字を示し得るものであってもよく、また色彩も２色以上を用いて、適宜設定されたものであってもよい。また、表示シール２０には、数字と数字の範囲に対応した色彩が付されているが、数字のみとするか又は所定の個数の範囲を示す色彩のみ、例えば残数が無くなる予備段階では黄色で示し、即タバコＴを補充すべき個数となった場合には、赤で示す等としたものであってもよい。ケーシング２内のタバコＴの個数を数字で表した場合には、ケーシング２内の個数を的確に把握することができ、また、色彩で表示した場合には、一見して補充の要否を判別することができる。もちろん、巻回部４ａの端部だけでなく外側を向く面全体に表示を行った（すなわち収納部８Ａ〜８Ｃが後方側Ｒの端部まで商品によって完全に満たされた状態から商品が無くなった状態までを表示する）ものであってもよい。その他、表示は、文字、模様等によるものであってもよい。
【００２６】
また、商品の個数に対応する表示として板バネ４に表示シール２０を貼着したが、表示となるものであればこれに限られるものではなく、板バネ４に、剥げ落ち難くかつ色あせし難い塗料を直接塗布したもの等であってもよい。
なお、本実施形態では、収納された商品はタバコＴであるが、他の商品の場合には、その商品毎に表示の間隔、領域等を定めて収納された商品の個数を後方側Ｒから認識できるようにすればよい。
また、マガジンのケーシング２が透明の素材で、下からケーシング２内を覗き込める場合には、板バネ４に示された表示が収納部８Ａ〜８Ｃに陳列された商品の真下に表れるようにしたものであってもよい。
【符号の説明】
【００２７】
１    商品前出しケース
２    ケーシング
３    押出部材
４    板バネ
４ａ  巻回部
４ｂ  端部
５    底板
６    側板    
８Ａ〜８Ｃ  収納部
１０    レール部
２０    表示シール（表示）
Ｔ    タバコ（商品）
Ｄ    一方向
【図１】
0003170784.tif 000003
【図２】
0003170784.tif 000004
【図３】
0003170784.tif 000005
【図４】
0003170784.tif 000006
【図５】
0003170784.tif 000007